(57)【要約】【課題】大型の袋体を開口した状態で維持して重量のある物品や大型物品を確実に収容しつつ、搬出時には、収容物を袋体ごと容易に取り出せる、収容スタンドを提供する。【解決手段】収容スタンド１は、それぞれが矩形状の板材で形成されている、前面部材２と、背面部材３と、一対の側面部材４，４’と、を備えている。前面部材２と側面部材４，４’とを接続する二箇所の接続領域、および背面部材３．と側面部材４，４’とを接続する二箇所の接続領域のうち、任意の三箇所の接続領域に柔軟な接続部材５が配置されており、且つ他の一箇所の接続領域に、開閉自在な開閉手段６が配置されている。さらに、ひも部材１２と留め具１１とを備えた一又は複数の把持手段１０が側面部材４，４’の外面に配置されており、留め具１１がひも部材１２を介して前記側面部材の外面に固定されている。ひも部材１２は、留め具１１を側面部材４，４’の内面に到達させる長さを有している。【選択図】図１
2020183256.tif 000002
【特許請求の範囲】
【請求項１】
袋体を開口した状態で保持する収容スタンドであって、
それぞれが矩形状の板材で形成されている、前面部材と、背面部材と、一対の側面部材と、を備えており、
前記前面部材と前記側面部材とを接続する二箇所の接続領域、および前記背面部材と前記側面部材とを接続する二箇所の接続領域のうち、任意の三箇所の接続領域に柔軟な接続部材が配置されており、且つ他の一箇所の接続領域に、開閉自在な開閉手段が配置されており、
ひも部材と留め具とを備えた一又は複数の把持手段が前記側面部材の外面に配置されており、前記留め具が前記ひも部材を介して前記側面部材の外面に固定されており、
前記ひも部材が、前記留め具を前記側面部材の内面に到達させる長さを有していることを特徴とする収容スタンド。
【請求項２】
前記前面部材と、前記背面部材と、前記側面部材を構成する板材が、板厚７ｍｍ以上１５ｍｍ以下の中空樹脂板であることを特徴とする請求項１記載の収容スタンド。
【請求項３】
前記開閉手段が、第一の開閉手段と第二の開閉手段とを備えており、
第一の開閉手段がバックルであり、
第二の開閉手段が面ファスナーであることを特徴とする請求項１記載の収容スタンド。
【請求項４】
前記背面部材と接続する蓋部材を更に備えており、
前記蓋部材と前記背面部材とが、柔軟な接続部材によって接続されていることを特徴とする請求項１から３のいずれかに記載の収容スタンド。
【請求項５】
前面部材、背面部材、および一対の側面部材とからなる四枚の板状部材と、前記板状部材の側辺同士を接続する接続部材と、前記接続部材が配置されていない側辺に固定された面ファスナーおよびバックルからなる開閉手段と、前記側面部材の外面に配置された把持手段と、を備えている収容スタンドを、折り畳まれた非使用状態から使用状態に組み立てる方法であって、
前記開閉手段が開放され、且つ接続部材が折り曲げられて、前記四枚の板状部材が前記把持手段を挟んだ状態で重ね合わされている非使用状態から、前記接続部材を略直角に折り曲げて、前記板状部材を地面に対して鉛直方向に立てる工程と、
前記開閉手段の前記面ファスナー及び前記バックルを閉鎖して、前記収容スタンドによって四角柱状の領域を規定する工程と、
前記把持手段の先端部分の留め具が前記側面部材の内側に垂れ下がるように配置する工程と、
を備えていることを特徴とする収容スタンドの組み立て方法。
【発明の詳細な説明】
【技術分野】
【０００１】
本発明は、袋体を開口した状態で保持することのできる収容スタンドに関する。特に、重量物や様々な形状の大型物品などを収容したフレキシブルコンテナバッグや土嚢の保持に適した収容スタンドに関する。
【背景技術】
【０００２】
工事現場や製造現場において、大型のフレキシブルコンテナバッグや大型土嚢といった袋体に様々な物品を収容して、別の場所に移動することがある。近年では、フレキシブルコンテナバッグや土嚢による一時的な保管であっても、収容物が飛散したり変質したりしないように、安全且つ確実に保管することが求められている。
【０００３】
フレキシブルコンテナバッグは、１ｍ３の内容量のものが普及している。また、大型の土嚢に土砂を収容した場合、重量が数百キログラムとなることもある。これら大型の袋体に様々な物品を収容する場合、物品を袋体に入れ始めてから入れ終わるまで袋体を開口した状態に維持して、物品を袋体の中に確実に収容する必要がある。
【０００４】
また、フレキシブルコンテナバッグや大型の土嚢などの袋体に重量のある物品を収容したものの運搬は、クレーンやフォークリフト等の移動手段を用いることになる。搬出は、クレーンのように吊り上げと吊り下ろしが主となる場合と、フォークリフトのように、水平移動が主となる場合とがある。
【０００５】
このため、大型の袋体を開口した状態で確実に保持しつつ、搬出時には、収容した重量物を袋体ごと上方にも横方向へも容易に取り出せる、大型の収容スタンドが必要とされている。
【０００６】
物品の保管と運搬のために、側面や蓋材を板状の構成部材で形成し、それぞれの構成部材を柔軟なシート部材で接続した包装容器が知られている。たとえば、特許文献１には、隣接する合成樹脂製の中空構造板間に可曲性を有する連結ベルトを架け渡して縫い付けることにより連結した容器構造体が開示されている。特許文献２には、筒状本体と内フラップ、外フラップを、それぞれ柔軟性を有するシート状連結体によって連結した包装用容器が開示されている。
【０００７】
発明者は、使用時には自立可能で、且つ非使用時には折り畳むことができる囲い部材を発明して、特許文献３として開示している。特許文献３の囲い部材は、側面部が板材で形成されており、接続部材が、折り曲げ可能なシート状素材で形成されている。特許文献３の囲い部材は、接続部材に、側面の外側面同士を接続する接続シートと側面の内側面同士を接続する接続シートとが直接対向する折り曲げ領域が形成されており、折り曲げ領域として接続部分が強化されていることを特徴とする。特許文献３の囲い部材は、先の尖った物品や重量物の保持を目的とした発明であり、袋体に収容した物品の保持を目的とした最適化はなされていない。
【先行技術文献】
【特許文献】
【０００８】
【特許文献１】特開２００２−１９３２５２号公報
【特許文献２】特開２００２−３２６６３３号公報
【特許文献３】特開２０１６−０９８０２３号公報
【発明の開示】
【発明が解決しようとする課題】
【０００９】
本発明の目的は、上記従来技術の解決すべき課題に鑑みてなされたものであって、大型の袋体を開口した状態で維持して重量のある物品や大型物品を確実に収容しつつ、搬出時には、収容物を袋体ごと容易に取り出せる、収容スタンドを提供することにある。
【課題を解決するための手段】
【００１０】
本発明は、袋体を開口した状態で保持する収容スタンドに関する。本発明の収容スタンドは、それぞれが矩形状の板材で形成されている、前面部材と、背面部材と、一対の側面部材と、を備えている。収容スタンドの、前面部材と側面部材とを接続する二箇所の接続領域、および背面部材と側面部材とを接続する二箇所の接続領域のうち、任意の三箇所の接続領域に柔軟な接続部材が配置されており、且つ他の一箇所の接続領域に、開閉自在な開閉手段が配置されている。本発明の収容スタンドは、ひも部材と留め具とを備えた一又は複数の把持手段が側面部材の外面に配置されており、留め具がひも部材を介して側面部材の外面に固定されており、ひも部材が、把持手段を前記側面部材の内面に到達させる長さを有していることを特徴とする。
【００１１】
本発明の収容スタンドは、前面部材と、背面部材と、側面部材とを構成する板材が、板厚７ｍｍ以上１５ｍｍ以下の中空樹脂板であることが好ましい。
【００１２】
本発明の収容スタンドは、開閉手段が、第一の開閉手段と第二の開閉手段とを備えており、第一の開閉手段がバックルであり、第二の開閉手段が面ファスナーであることが好ましい。
【００１３】
本発明の収容スタンドは、背面部材と接続されている蓋部材を更に備えており、蓋部材と背面部材とが、柔軟な接続部材によって接続されていることが好ましい。
【００１４】
本発明はまた、収容スタンドが、折り畳まれた非使用状態から使用状態に組み立てる方法を提供する。本発明の収容スタンドは、前面部材、背面部材、および一対の側面部材とからなる四枚の板状部材と、板状部材の側辺同士を接続する接続部材と、接続部材が配置されていない側辺に固定された面ファスナーおよびバックルからなる開閉手段と、側面部材の外面に配置された把持手段と、を備えている。本発明の組立方法は、開閉手段が開放され、且つ接続部材が折り曲げられて、四枚の板状部材が前記把持手段を挟んだ状態で重ね合わされている非使用状態から、前記接続部材を略直角に折り曲げて、前記板状部材を地面に対して鉛直方向に立てる工程と、開閉手段の面ファスナー及びバックルを閉鎖して、四角柱状の領域を規定する工程と、把持手段の先端部分の留め具が側面部材の内側に垂れ下がるように配置する工程と、配置する工程と、を備えていることを特徴とする。
【発明の効果】
【００１５】
本発明の収容スタンドは、前面部材と側面部材とを接続する接続領域、または背面部材と側面部材とを接続する接続領域のうち、一箇所の接続領域に、開閉自在な開閉手段が配置されている。開閉手段を開放することによって、収容スタンドの４つある側辺のうちの一箇所を開放し、収容物を、横方向、すなわち水平方向に引き出すことができる。収容物が重量のある場合であっても、運搬が容易である。
【００１６】
本発明の収容スタンドは、一又は複数の把持手段が、側面部材の外面に、配置されている。把持手段のひも部材が、把持手段の先端の留め具を側面部材の内面に到達させる長さを有していることで、留め具を側面部材の内面に垂らして、収容スタンドの内部の袋体を開口した状態に把持することができる。単に把持手段を側面部材の内面に固定した場合、固定部分に収容物が引っかかって、側面部材や把持手段を破損するおそれがある。また、収容物を搬入したときや搬出するときに、把持手段に衝撃荷重が加わって、固定位置が破損する可能性がある。これに対して、本発明では、ひも部材が側面部材の上端部（以下、上辺とも言う）を通過して側面部材の内面に袋体の留め具を導入することができる。このような袋体の支持態様では、ひも部材と側面部材の上端部の接触位置が支点となって把持手段と袋体を支持するので、収容物の搬出や搬入の工程で意図しない力が加わった場合であっても、把持手段と側面部材の固定位置に直接加わる力が緩和されて、破損を防止することができる。
【００１７】
本発明の収容スタンドは、前面部材と、背面部材と、側面部材とを構成する板材が、板厚７ｍｍ以上１５ｍｍ以下の中空樹脂板であることにより、軽量で、しかも必要充分な強度が確保される。たとえば、パレット上に載せた状態で重量物を収容して運搬する場合においても、収容スタンドの重量に由来する運搬量の制約を発生させない。
【００１８】
本発明の収容スタンドは、開閉手段をバックルと面ファスナーにすることにより、面ファスナーで隣り合う板材同士の位置決めを容易に行い、バックルで充分な強度のある固定が可能となる。また、面ファスナーとバックルの組み合わせは、迅速な側辺の開閉を可能として、作業効率を向上させる。
【００１９】
本発明の収容スタンドは、蓋部材を備えることによって、収容物を風雨から保護し、飛散や変質を防止することができる。
【図面の簡単な説明】
【００２０】
【図１】図１は、自立した状態の収容スタンドの斜視図である。
【図２】図２は、蓋部材を備えた収容スタンドの斜視図である。
【図３】図３は、開閉手段が配置された側辺部の部分拡大図である。
【図４】図４は、把持手段が袋体を保持している収容スタンドを示す斜視図である。
【図５】図５は、収容スタンドを非使用状態から使用状態に組み立てる途中の変形状態を模式的に表す図である。
【図６】図６は、側面部材と前面部材の接続領域の部分拡大側面図である。
【図７】図７は、接続部材を折り畳んだ状態の収容スタンドの部分拡大横断面図である。
【発明を実施するための形態】
【００２１】
［収容スタンドの好適な実施形態］
以下、本発明の収容スタンド１の好適な実施形態について、図面を参照しつつ説明する。収容スタンド１は、前面部材２と、背面部材３と、側面部材４、４’とを備えている。また収容スタンド１は、前面部材２と一方の側面部４’との間、及び背面部材３と側面部材４，４’との間を接続する接続領域に、柔軟な接続部材５が配置されており、接続部材５に固定されることによって、それぞれの部材が接続される。接続部材５による、前面部材２、背面部材３、及び側面部材４、４’の好ましい接続方法は、縫合である。また、前面部材２と他方の側面部４との間の接続領域に開閉手段６が配置されており、開閉手段６によって、前面部材２と側面部４とが接続される。
【００２２】
図１に、本実施形態に従う収容スタンド１を自立させて、内部に袋体を保持可能な空間を生じさせた状態を示す。組み立てて自立した状態の収容スタンド１は、全体として上面と下面（すなわち底面）とが取り除かれた四角柱状の外観を呈する。なお、以下において、収容スタンドを組み立てたときに四角柱の上下の稜角を垂直方向に結ぶ輪郭線となる辺のことを側辺と称する。たとえば、開閉手段６が開放されたり、収容スタンド１が折り畳まれた状態であっても、これらの辺のことを、「側辺」と称する。また、各部材の「側辺部」とは、側辺を含むその近傍の領域のことであって、接続部材５または開閉手段６が配置された接続領域に含まれる部分のことである。さらに、四角柱の上端部を形成する辺のことを「上辺」、四角柱の下端部を形成する辺のことを「下辺」とも称する。
【００２３】
前面部材２と、背面部材３と、側面部材４、４’は、いずれも板材で形成される。板材の材料には、プラスチック板、段ボールプラスチック、ベニヤ板などの木質板などの、高強度の板状物を使用することが好ましい。最も好適な板材は、中空ポリプロピレン製の板材である。板材は、全て同一の素材で、同一の板厚７ｍｍ以上１５ｍｍ以下で形成することが最も好適である。
【００２４】
図３に、収容スタンド１の前面部材２と側面部材４の接続領域の部分拡大図を示す。前面部材２と側面部材４の接続領域は、前面部材２の側辺部と、側面部材４の側辺部と、前面部材２の側辺部に縫い付けられて固定された、柔軟な延在部５’とで構成されている。開閉手段６は、複数の面ファスナー７と複数のバックル８とで構成される。延在部５’に、面ファスナー７の例えばフック面が縫い付けられて固定されている。側面部４の側辺部の、延在部５’と相対する位置に、面ファスナー７の例えばループ面が縫い付けられて固定されている。面ファスナー７のどちらの要素を前面部材２の延在部５’と側面部材４のどちらに配置するかは、特に限定されない。開閉手段のもう一つの要素であるバックル８については、例えばバックル８のメス側部品が前面部材２の側辺部に縫い付けられて固定されており、バックル８のオス側部品が、側面部材４の側辺部に縫い付けられて固定される。バックル８のどちらの部品を前面部材２の延在部５’と側面部材４のどちらに配置するかについては、特に規定されない。
【００２５】
開閉手段６のうち、面ファスナー７は、主に、前面部材２と側面部材４の位置決めの作用効果を有する。バックル８は、ほぼ水平方向の拘束力を提供し、前面部材２と側面部材４の接続を維持する作用効果を有する。面ファスナー７の数とバックル８の数、およびそれぞれの固定位置は、収容スタンドの大きさ及び収容する物品の量によって、適宜変更することができる。面ファスナー７とバックル８は、いずれも開閉を迅速に行うことができるので、数を増やして強度を確保した場合であっても、側面の開閉作業を効率よく行うことができる。
【００２６】
図６に、収容スタンド１の背面部材３と側面部材４の間の接続領域の部分拡大図を示す。背面部材３と側面部材４とは所定の距離を隔てて配置されており、このとき背面部材３と側面部材４の間にできた空間を閉鎖するように、柔軟な接続部材５が配置される。接続部材５による背面部材３と側面部材４の接続は、背面部材５の側辺部と側面部材４の側辺部とが別々に接続部材５に縫い合わされることによって行われる。接続部材５には、たとえば、ポリエチレンシートやポリプロピレン（ＰＰ）シートが好適に使用される。背面部材３および側面部材４と接続部材５の縫合に用いられる縫合糸には、木綿糸やポリエステル糸等の高強度の糸を使用することができる。接続部材５を用いた板材の接続は全て、同一の構成で行われることが好ましい。縫合糸による背面部材３及び側面部材４と、接続部材５との縫合箇所を、図６では一点鎖線１６で示している。
【００２７】
接続部材５による背面部材３と側面部材４との特に好適な接続形態では、接続部材５が外側面接続シートと内側面接続シートの２枚で形成される。外側面接続シートと内側面接続シートの両方に、背面部材３と側面部材４とが縫い合わされることで、接続領域が外側からも内側からも接続部材５によって覆われる。前面部材２と一方の側面部４’との間、及び背面部材３と側面部材４’との間の接続部材５による接続も、同様に行われることが好ましい。
【００２８】
図１に示すように、前面部材２と、背面部材３と、側面部材４、４’の上辺と下辺もまた、接続部材５と同一の柔軟なシート材料で覆うことが好ましい。特に、側面部材４，４’の上辺は、接続部材５で覆うことで、以下に説明する把持手段１０との摩擦を減らして、把持手段１０の劣化を防止することができる。また、このようにそれぞれの辺をシート材料で覆うことは、使用者が端部でけがをすることを防止するという安全性の向上と、美観の向上の効果を提供する。
【００２９】
把持手段１０が、側面部材４，４’の外面に配置されている．把持手段１０は、留め具１１とひも部材１２とで構成されている。留め具１１は、ねじ、ばね等の押圧手段によって、収容スタンド１の内部に収容された袋体を挟んで固定する。ひも部材１２には、ゴム紐等の伸縮性を有する長尺物であって、平坦部分を有するものが最も好適に用いられる。伸縮性は必須ではなく、当初弾性体であったゴム紐から伸縮性が失われた後も、把持手段１０として充分機能することができる。
【００３０】
ひも部材１２は、一端部が側面部材４，４’の外面に縫い付けられて固定されており、他端部に留め具１１が固定されている。ひも部材１２の長さは、荷重が加わっていない状態で、先端の留め具１１を、側面部材４，４’の内面に到達させることのできる長さである。留め具１１を側面部材４，４’の内面に到達させるとき、ひも部材１は、側面部材４，４’の外面の固定端から、側面部材４，４’の上辺を通過して、側面部材４，４’の内面上部まで延在している。
【００３１】
図４に、把持手段１０の留め具１２が、収容スタンド１のなかに収容された袋体３０を把持している状態を示す。把持手段１０は、側面部材４，４’の外面にそれぞれ２個ずつ間隔をあけて配置することが好ましい。把持手段１０の留め具１２が、それぞれ収容スタンド１の稜角の近傍で中に収容される袋体３０を支持することにより、中の袋体が十分開口した状態を維持することができ、様々な物品を安定して収容することができる。
【００３２】
物品を袋体３０に収容する作業において、収容スタンド１の把持手段１０のひも部材１２は、袋体３０とその中の物品から引張り力を受けることになる。しかし、ひも部材１２と側面部材４，４’の上辺との接触位置が支点となり、側面部材４，４’が把持手段１０と袋体３０を支持することになるので、物品の搬出や搬入の工程で意図しない力が加わった場合であっても、把持手段１０の側面部材４，４’の固定位置に伝達される力は点荷重ではなくなり、ある程度緩和される。この結果、把持手段１０が側面部材４，４’の内側に直接固定されている場合と比較すると、把持手段１０やその側面部材４，４’の固定位置の破損を予防することが可能となる。
【００３３】
側面部材４，４’との接触面積を広げ、把持手段１０に必要な強度と耐久性を確保するために、ひも部材１２の幅は２０ｍｍ以上であることが好ましい。また、ひも部材が側面部材４，４’の上辺とより広い接触面積を持てるように、ひも部材が平坦な部分を有することが好ましい。
【００３４】
ここで、袋体３０の底は、収容スタンド１が設置されている床あるいは地面に接しているので、収容スタンド１は、袋体３０の内容物の全重量を支持する必要はない。しかしながら収容スタンド１には、袋体３０が高さ方向の形状を維持するための強度が必要とされる。収容スタンド１全体の強度の確保と、把持手段１０の支点の強度の確保と、軽量化の全ての特性を得るために、前面部材２と、背面部材３と、側面部材４、４’は、板厚７ｍｍ以上１５ｍｍ以下の中空樹脂板で形成することが好ましい。
【００３５】
［収容スタンドを使用状態にする組み立て方法］
図５および図７を参照して、収容スタンド１を使用状態にする組み立て方法を説明する。図５は、収容スタンド１が非使用状態から使用状態に移行する過程を示している。非使用状態では、背面部材３の内面と側面部材４の内面とが接しており、側面部材４の外面と側面部材４’の内面とが接しており、側面部材４’の外面と前面部材２の外面とが接しているように、四枚の板材が折りたたむことができる。このように折りたたむことで、把持手段１０はすべて板材と板材との間に挟まれて収容されることになり、保管時の損傷や、ひも部材１２の劣化が防止される。
【００３６】
図７は、背面部材３と側面部材４との間の接続部材５が折り畳まれた状態を示す部分拡大図である。背面部材３と側面部材４との間だけではなく、隣り合う板材と板材との間の間隔も同様に、それぞれの板材の板厚よりも広くなるように設定されていることが好ましい。板材と板材との間隔を広くすることで接続領域が広がることになり、収容スタンド１の変形の自由度を確保することができる。
【００３７】
折りたたまれた非使用状態の収容スタンド１を使用状態とする組み立て方法には、以下の工程が含まれる。すなわち、三箇所の接続部材５を略直角に折り曲げて、前面部材２と背面部材３と側面部材４，４’とを地面に対して鉛直方向に立てる工程と、開閉手段の面ファスナー７及びバックル８を閉鎖して、収容スタンド７を四角柱状に自立させ、内部に袋体を収容可能な領域を規定する工程と、把持手段１０の先端部分の留め具１２が側面部材４，４’の上辺を通過して内側に垂れ下がるように配置する工程と、が含まれる。
【００３８】
［収容スタンドの変形例］
図２に、本発明の更なる実施形態である収容スタンド２０の斜視図を示す。収容スタンド１と同一の構成を有する要素については、同一符号を付して、重複説明を割愛する。
【００３９】
収容スタンド２０は、背面部材３と接続する蓋部材１４を更に備えている。蓋部材１４と背面部材３の上辺近傍が、接続部材５と同一の素材からなる蓋接続部材に縫い付けられており、蓋部材１４は、収容スタンド２０の上部に開閉可能に固定されている。収容スタンド２０を折り畳んで非使用状態とするとき、蓋部材１４は、背面部材３の外面と接して最外面に位置するように折り畳むことができる。蓋部材１４を閉じることで、収容物の水濡れを防ぐことができる。
【００４０】
蓋部材１４は、開閉動作を容易にする補助手段として、取っ手または引っ張り紐を備えることができる。蓋部材１４は、二つの部材で構成してもよく、それによって、開閉に必要な高さを減らして開閉を容易にすることができる。また、蓋部材１４の先端に、面ファスナー等の閉鎖手段を設けることによって、収容物をより確実に保管することができる。
【００４１】
蓋部材１４を設ける場合、側面部材４，４’に背面部材側から前面部材側に向かって下降するような傾斜を設けることで、収容スタンド２０に、雨が降った時の排水機能を備えることができる。また、図２に示すように、蓋部材１４の一辺の長さを、前面部材２，背面部材３，側面部材４，４’のどれよりも大きくすることで、風雨を防ぐことをいっそう確実に行うことができる。
【００４２】
前面部材１３には、一又は複数のポケット１５を設けることができる。ポケット１５には、書類等を収容ことができる。また、ポケット１５を透明にした場合には、収容した物品の種類や注意事項を記載した紙などを収容して、表示機能と通知機能を付与することができる。
【実施例】
【００４３】
以下に、好ましい実施形態を具現化した収容スタンドの実施例を示す。本実施例の収容スタンド２０は、１ｍ３の容量の袋体を主要して保持するための特に好適に使用される。
【００４４】
本実施例の収容スタンド２０は、ポリプロピレン製の厚さ９．０ｍｍのハニカムコア材の板材からなる前面部材２，背面部材３，側面部材４，４’、および蓋部材１４と、ポリエチレン製の厚さ０．２ｍｍのシート状素材からなる接続部材５を備えている。収容スタンド２０は、使用時に、幅９５０ｍｍ、奥行き９５０ｍｍ、高さ１１００ｍｍの四角柱状に展開することが可能であり、非使用時には、幅９５０ｍｍ、奥行き約５０ｍｍに折り畳むことが可能である。収容スタンド２０は、工業用ミシンによるポリエステル製の縫合糸を用いた縫合によって、前面部材２，背面部材３，側面部材４，４’、および蓋部材１４と接続部材５とを接続しており、非常に効率よく製造することができる。前面部材２と側面部材４との接続領域には、開閉手段として２組の面ファスナー７とバックル８が配置されており、側面の開閉を迅速に行うことができる。また、把持手段１０が、側面部材４，４’の外面にそれぞれ２個ずつ配置されており、把持手段１０の先端の留め具１１が、収容スタンド２０に収容された袋体３０を開口した状態で保持する。本実施例の収容スタンド２０の重量は約８．６Ｋｇであり、作業者が単独で使用状態に展開したり、折り畳んで運搬することができる。
【００４５】
本実施例で説明した収容スタンドの大きさおよび各構成部材の材質と寸法は、適宜変更が可能である。例えば、開閉手段と把持手段の数と配置は、適宜変更が可能である。また、それぞれの板材と、接続部材と、縫合糸は、十分な強度と柔軟性を持つ任意の素材の適用が可能である。また、収容する物品によっては、蓋部材を有していない週様子端が好適に用いられる。
【産業上の利用可能性】
【００４６】
本発明の収容スタンドは、フレキシブルコンテナバッグ（フレコン）のスタンド、土嚢作成時のスタンド、その他一般的な搬送収容スタンドとして広く使用することができる。
【符号の説明】
【００４７】
１、２０…収容スタンド
２、１３…前面部材
３…背面部材
４、４’…側面部材
５…接続部材
５’…延在部
６…開閉手段
７…面ファスナー
８…バックル
１０…把持手段
１１…留め具
１２…ひも部材
１４…蓋部材
１５…ポケット
１６…縫合箇所
３０…袋体
【図１】
2020183256.tif 000003
【図２】
2020183256.tif 000004
【図３】
2020183256.tif 000005
【図４】
2020183256.tif 000006
【図５】
2020183256.tif 000007
【図６】
2020183256.tif 000008
【図７】
2020183256.tif 000009